(57)【要約】  リアクトルコアは、本質的に三角の形状に形成される。このようなリアクトルコアの形状は、変圧器用の板の条片などの電磁気材料の単一条片を、三角の形状中に多くの巻が存するように巻回して容易に得ることができる。
2010519764.tif 000002
【特許請求の範囲】
【請求項１】
電磁気材料からなるコアとこのコアに巻回されたコイルを備えた無効電力を発生するためのリアクトルにおいて、
上記コアは、三辺をもつ本質的に三角の形状を有することを特徴とするリアクトル。
【請求項２】
請求項１に記載のリアクトルにおいて、上記コアは、薄板の複数の層で作られることを特徴とするリアクトル。
【請求項３】
請求項２に記載のリアクトルにおいて、上記薄板の複数の層は、多数の層に巻回された単一の板条片からなることを特徴とするリアクトル。
【請求項４】
請求項１乃至３のいずれか１つに記載のリアクトルにおいて、上記コアを横切る方向に少なくとも１つの空隙が配置されていることを特徴とするリアクトル。
【請求項５】
請求項４に記載のリアクトルにおいて、本質的に三角形状の上記コアの各辺に、１つの空隙が配置されていることを特徴とするリアクトル。
【請求項６】
電磁気材料からなるリアクトルコアにおいて、コアは、三辺をもつ本質的に三角の形状を有することを特徴とするリアクトルコア。
【請求項７】
請求項６に記載のリアクトルコアにおいて、上記コアは、薄板の複数の層からなることを特徴とするリアクトルコア。
【請求項８】
請求項７に記載のリアクトルコアにおいて、上記薄板の複数の層は、多数の層に巻回された単一の板条片からなることを特徴とするリアクトルコア。
【請求項９】
請求項６乃至８のいずれか１つに記載のリアクトルコアにおいて、上記コアを横切る方向に少なくとも１つの空隙が配置されていることを特徴とするリアクトルコア。
【請求項１０】
請求項９に記載のリアクトルコアにおいて、本質的に三角形状の上記コアの各辺に、１つの空隙が配置されていることを特徴とするリアクトルコア。
【請求項１１】
無効電力を発生するためのリアクトルを製造する方法において、
電磁気材料の条片を、本質的に三角の形状を持つコアに巻回するステップと、
上記コアを複数の断片に切断するステップと、
予め巻回した複数のコイルを上記コアに嵌合するステップと、
上記コアを本質的に三角の形状に再び連結するステップを備えたことを特徴とする方法。
【請求項１２】
請求項１１に記載の方法において、上記切断がされた箇所に空隙を設ける付加的なステップを備えることを特徴とする方法。
【発明の詳細な説明】
【技術分野】
【０００１】
本発明は、無効電力を発生するためのリアクトルおよびリアクトルコアに関する。
【背景技術】
【０００２】
リアクトルは、無効電力を発生するため用いられる電気的装置である。リアクトルは、多くの異なった環境および多くの異なった目的で用いられる。リアクトルの適用例の１つは、交流電力送電システムにおける接地リアクトルである。この接地リアクトルは、電力送電線から地面へ流れる容量性電流に均衡するように地面へ流れる誘導性電流を調整することによって、故障箇所で地面へ流れる電流を殆ど零にできるように設計され、使用されている。このような装置は、また、ペーターセン・コイルとして知られている。
【０００３】
電力送電システムで用いられるリアクトルは、重いうえ、製造の際に扱いにくい。従来のリアクトルの製造工程は、労力集約型の多くの組み立て工程を含んでいる。なぜなら、リアクトルコイル用のコアを製造するからである。コアの製造では、極めて多数の変圧器用の板をステープルで固定し、手作業で切断しなければならない。
【０００４】
さらに、従来のリアクトルコイルは、リアクトルコイルに必要な材料が多量なので、実に非常に重たい。配電網に用いられる典型的なリアクトルコイルは、実に非常に重たく、配電用リアクトルは、要求される性能と用途に依っては、数百キログラムにもなる。このことは、変圧器用の板の費用およびコイルに用いる銅の費用の両見地から、使用材料が高価になるという問題を生じる。他の問題は、重いリアクトルが移動や組み立てに際して扱いにくいことである。
【０００５】
従って、製造が容易、かつ、従来のリアクトルコアおよびリアクトルよりも必要な材料が少ないリアクトルコアおよびリアクトルに対する要望が存在する。
【発明の概要】
【発明が解決しようとする課題】
【０００６】
本発明の目的は、既存のリアクトルコアおよびリアクトルコイルにおける幾つかの問題を克服または少なくとも軽減することにある。
【０００７】
本発明の他の目的は、製造が容易で、必要な材料の見地から効率的なリアクトルコアを提供することである。
【０００８】
本発明の更なる目的は、リアクトルコイルの巻線に必要な銅の量を低減できるリアクトルコアの構造を提供することである。
【課題を解決するための手段】
【０００９】
上記目的は、添付の特許請求の範囲に記載のリアクトルコアおよびリアクトルによって達成される。このリアクトルコアは、本質的に三角形に形成される。このようなリアクトルコアの形状は、変圧器用の板などの電磁気材料の条片を多数回に三角形状に巻いて有利に得ることができる。
【００１０】
本質的に三角形状のリアクトルコアには、次いでコイルが設けられる。これは、三角形のコアの各辺を切断して３つの断片とし、予め巻回した３つのコイルを各辺に嵌合し、各辺を再び連結することによって有利に行うことができる。最後に、３つの予め巻回したコイルを接続して、三角形のリアクトルコアに装着された１つのコイルにする。
【発明の効果】
【００１１】
本発明によるリアクトルコアとリアクトルは、既存のリアクトルに優る多くの利点をもたらす。まず第１に、本発明によるリアクトルに必要な材料の量は、従来の類似のリアクトルに必要な材料の量よりも遙かに少ない。これは、本発明の形状のリアクトルには、実質的に無駄がないからである。従来のリアクトルは、電磁気流を閉じ込めるためのヨークをリアクトルコイルの各側に設けていた。このヨークは、無効電力の発生に寄与しないので無駄になる。従って、ヨークの材料は、無効電力の生成の見地から無駄使いされていた。
【００１２】
コア用の電磁気材料量が減り、コイル用の銅量が減るので、材料費が低減し、軽量で扱い易いリアクトルが得られる。
【００１３】
さらに、三角形状のコアは、変圧器用の板などの電磁気材料の条片を、所望の形状になるように巻き付けて作ることができる。これは、従来のリアクトルコアの場合のような手作業による電磁気材料板の積み重ねを要しないので、コア製造の費用を著しく低減する。
【図面の簡単な説明】
【００１４】
【図１】図１は、リアクトルを示す図である。
【図２】図２は、リアクトルコアを示す図である。
【図３】図３は、リアクトルコイルを作る際の工程を示すフローチャートである。
【発明を実施するための形態】
【００１５】
本発明を、図示の非限定的な実施形態により次に詳細に説明する。
【００１６】
図１に、リアクトルを示す。このリアクトルは、電磁気材料から本質的に三角形状に形成されたコア１を備える。コアは、特に、電磁気材料の薄板を所望の厚さを持つように積層して作ることができる。コアは、好ましい実施形態では、三角形の枠に巻回した単一の薄板条片からなる。これは、図２を参照してより詳しく後述する。
【００１７】
上記リアクトルは、コア１の周りに巻回された銅製のコイル２を更に備える。銅製のコイルは、好ましい実施形態では、三角形のコアの３辺に夫々嵌合される３つの予め巻回されたコイルで形成される。上記リアクトルは、コア１の各辺に設けられた空隙３を更に有する。
【００１８】
図２に、製造時のリアクトルコアを示す。変圧器用の板などの電磁気材料の薄板条片を、多層をなすように本質的に三角形状に巻回する。層数は、コアの厚さを決定する。
【００１９】
図３は、本発明によるリアクトルを作る際の工程を示すフローチャートである。まず、ステップ３１で、変圧器用の板などの電磁気材料条片が、本質的に三角形状をなし,所望の厚さを持つように多層に巻回されて、３辺をもつリアクトルコアが形成される。次に、ステップ３２で、コアは、断片に切断される。好ましい実施形態では、三角形コアの各辺が、１箇所ずつ合計３箇所で切断される。ステップ３３で、コイルがコアに嵌合される。このコイルは、予め巻回した３つのコイルで形成され、これを三角形コアの各辺に嵌合するのが好ましい。次に、ステップ３４で、コアの各辺を、リアクトルに適用するための適切な長さの空隙をあけて互いに連結する。最後に、未だ接続されていないなら、３つの予め巻回したコイルを接続して１つのコイルにする。
【００２０】
本発明によるリアクトルコアおよびリアクトルは、既存のリアクトルを超える多くの利点を提供する。従って、本発明によるリアクトルが必要とする材料の量は、従来の同等のリアクトルが必要とする材料の量の数分の１である。なぜなら、本発明のリアクトルは、実質的に無駄がないからである。
【００２１】
本発明によるリアクトルは、従来の性能が類似のリアクトルよりも遙かに少ない材料しか必要としない。典型的には、本発明によって製造されたリアクトルは、材料使用の見地から、従来の最も効率的なリアクトルに必要な材料の６０％以下の材料しか必要としない一方、従来と同等以上の性能を維持する。
【００２２】
コア用の電磁気材料の量およびコイル用の銅の量が共に減るので、材料費が低減し、軽量で扱い易いリアクトルが得られる。
【００２３】
さらに、三角形状のコアは、変圧器用の板などの電磁気材料の条片を巻き付けて作ることができる。このことは、従来のリアクトルコアの場合のような手作業による電磁気材料板の積み重ねを要しないので、コア製造の費用を著しく低減する。
【図１】
2010519764.tif 000003
【図２】
2010519764.tif 000004
【図３】
2010519764.tif 000005
【国際調査報告】
2010519764.tif 000006
2010519764.tif 000007
2010519764.tif 000008